(57)【要約】      （修正有）【課題】相互に連結される単位印判の上下位置を相対的に微調節し、連結式印判の各単位印判の印面位置をフラットに揃えることができ、濃淡の差ができない良好な印影を得られる連結式印判を提供する。【解決手段】一方の側面に連結用凸部を設けると共に反対の側面に連結用凹部を設けてなる印判本体に、印字体を備えた印字体ホルダーを装着して単位印判とし、当該単位印判を複数連結してなる連結式印判において、前記印字体ホルダーの側面に段部を形成し、かつ、前記印字体ホルダーの側面に調節部材を回動自在に係止し、前記印判本体の下端と前記調節部材、及び、前記印字体ホルダーの段部と前記調節部材が、それぞれ当接してなる連結式印判。【選択図】図６
2005280315.tif 000002
【特許請求の範囲】
【請求項１】
一方の側面に連結用凸部を設けると共に反対の側面に連結用凹部を設けてなる印判本体に、印字体を備えた印字体ホルダーを装着して単位印判とし、当該単位印判を複数連結してなる連結式印判において、
前記印字体ホルダーの側面に段部を形成し、かつ、前記印字体ホルダーの側面に調節部材を回動自在に係止し、
前記印判本体の下端と前記調節部材、及び、前記印字体ホルダーの段部と前記調節部材が、それぞれ当接してなる連結式印判。
【発明の詳細な説明】
【技術分野】
【０００１】
本発明は、単位印判を複数連結してなる連結式印判に関するものである。
【背景技術】
【０００２】
印字体を備えた単位印判を複数個用意して、単位印判同士を連結可能とした連結式印判は従来からよく知られている。そして、単位印判同士を連結するための連結方法としては、単位印判の印判本体の側面に設けた凸部と凹部を嵌合することが一般的であり、例えば、実開昭５５−１４６２６３号、実開昭５６−０９８４６２号、実開昭５９−０８２７５３号などが開示されている。
このような連結式印判は単位印判の複数個を連結させた状態で押印することになるが、それぞれの単位印判は日時や場所を別にして製造されることがほとんどであって、印字体の厚みや印字体の組み付け位置などがそれぞれ微妙に異なることが多く、印面の位置を全く同一に製造することが困難であって、単位印判を複数個連結させた状態で押印すると特定の単位印判の印影がかすれたり、にじんだりしやすい欠点があった。
そこで、印影の濃淡を均一にするために、使用する単位印判の印字体の位置を相対的に上下に調節して印面がフラットになるように調節するのであるが、１ｍｍ以下の誤差を調節することはほとんど不可能であり、極めて不具合であった。
【０００３】
【特許文献１】実開昭５５−１４６２６３号公報
【特許文献２】実開昭５６−０９８４６２号公報
【特許文献３】実開昭５９−０８２７５３号公報
【発明の開示】
【発明が解決しようとする課題】
【０００４】
本発明は、相互に連結される単位印判の上下位置を相対的に微調節し、連結式印判の各単位印判の印面位置をフラットに揃えることができ、濃淡の差ができない良好な印影を得られる連結式印判を提供する。
【課題を解決するための手段】
【０００５】
一方の側面に連結用凸部を設けると共に反対の側面に連結用凹部を設けてなる印判本体に、印字体を備えた印字体ホルダーを装着して単位印判とし、当該単位印判を複数連結してなる連結式印判において、
前記印字体ホルダーの側面に段部を形成し、かつ、前記印字体ホルダーの側面に調節部材を回動自在に係止し、
前記印判本体の下端と前記調節部材、及び、前記印字体ホルダーの段部と前記調節部材が、それぞれ当接してなる連結式印判。
【発明の効果】
【０００６】
本発明の連結式印判は、シンプルな構成で少ない部品点数ながら、相互に連結される単位印判の上下位置を１ｍｍ以下の寸法で調節することができるので、日時や場所を異にして製造された単位印判であっても、単位印判同士を連結したときの各単位印判の印面位置をフラットに揃えることができ、濃淡の差がなく均一で鮮やかな印影を得られる連結式印判を得ることができる。
【発明を実施するための最良の形態】
【０００７】
以下、本発明の実施の形態を図面に基づいて詳細に説明する。図１〜図４は単位印判、図５〜図６は連結式印判を示している。
１は単位印判であって、印判本体２の下端に印字体ホルダー４を装着して組み立てられる。
印判本体２は、主にプラスチックを用いて直方体に形成したものであって、一方の側面に連結用凸部５を設けると共に、反対の側面に連結用凹部６が設けてある。また、横側面には指を引っ掛けて連結式印判の連結の解除を容易にするための凹状の引掛部１４が設けてある。
印字体ホルダー４は、主にプラスチックを用いて直方体に形成したものであって、印面を彫刻した多孔質ゴムにインキを含浸させた印字体３を備えている。また、周側面には段部８を設けてある。また、上面にはインキ補充口１６を備えている
本発明では別部材として板カム状の調節部材７を用意する。調節部材７は円形状、楕円形状、円錐形状、カム形状、三角形状、四角形状、五角形状、六角形状、多角形状等の平板状の部材を使用することができ、中心付近にねじ止め用の穴が開けてある。特に、ねじ止め用の穴から調節部材の周囲までの距離が均一にならないように設定することが必要であって、調節部材に円形状のものを用いる場合は中心からずらしてねじ止め用の穴を開けることが必要である。こうすることで、ねじ止め用の穴から調節部材の周囲までの距離変化を０．１ｍｍ〜１．０ｍｍの間で任意に得ることができる。
【０００８】
本発明における単位印判１は、側面に段部８を形成した印字体ホルダー４の側面に、調節部材７をねじなどを用いて回動自在に係止し、当該印字体ホルダー４を印判本体２の下端に装着して得られる。この際、印判本体２の下端と調節部材７、及び、印字体ホルダー４の段部８と調節部材７が、それぞれ当接するように装着する。よって、前記調節部材７は、印判本体２と印字体ホルダー４の間に介在し、両者が直接当接することを妨害することとなる。また、調節部材７は、ねじ止め用の穴を介してボルトとナットで固定される。
次に、当該構成を有する単位印判１を複数個用意し、連結用凸部５と連結用凹部６をそれぞれ連結すると本発明の連結式印判が得られる。
【０００９】
次に、本発明の上下位置を調節する方法について説明する。
本発明の連結式印判で紙等に押印すると、各単位印判の印影に濃淡の差が出現することがある。これは、それぞれの単位印判が日時や場所を別にして製造されることがほとんどであって、印字体の厚みや印字体の組み付け位置などがそれぞれ微妙に異なることが多く、印面の位置を全く同一に製造することが困難なためであった。
そうした際は、ある調節部材の固定を緩め、適量分だけ左右に回動させ、印字体ホルダーを上下に微少分だけ移動せしめ、調節部材を再固定し、この状態で再度紙等に押印して印影を確認する。そして、適正な印影を得られるまでこの作業を繰り返し行なうと単位印判同士の印面位置をフラットに揃えることができ、均一な濃淡の印影を得られるのである。
ここで、説明を容易にするために２個の単位印判からなる連結式印判の場合について図５を例示する。
まず、上記構成を有する単位印判Ａ及び単位印判Ｂを用意し、単位印判Ａの連結用凸部５と単位印判Ｂの連結用凹部６を連結して連結式印判とする。この連結した状態で紙等に押印してみると単位印判Ａ及び単位印判Ｂの印影に濃淡の差が出現することがある。例えば、単位印判Ａの印影は濃すぎて滲んでしまっており、他方単位印判Ｂの印影は薄い場合を想定すると、単位印判Ａの印面が単位印判Ｂの印面に比べて相対的に突出したような状態になっている為に単位印判Ａの加重が大きくなって、印影の濃淡が生じていると考えられる。この場合は、単位印判Ａの調節部材の固定を緩め、反時計回りに５°程度回動させ、印字体ホルダーを上方向に微少分だけ移動せしめ、調節部材を再固定する。そうすると、単位印判Ａの印字体ホルダーが０．２ｍｍ程度上がったような位置関係となる。これによって単位印判Ａの印面と単位印判Ｂの印面の相対的な位置関係が改善され、双方の印面がフラットな状態となる。この状態で再び紙等に押印して印影を確認すると、印面の位置がフラットなため、濃淡の無い鮮明な印影を得ることができる。
単位印判Ａの印影が薄く、単位印判Ｂの印影が濃い場合は、単位印判Ａの調節部材の固定を緩め、時計回りに５°程度回動させ、印字体ホルダーを下方向に微少分だけ移動せしめ、調節部材を再固定する。そうすると、単位印判Ａの印字体ホルダーが０．２ｍｍ程度下がったような位置関係となり、双方の印面がフラットな状態となる。
上記の通り、単位印判Ａと単位印判Ｂは上下位置を微調節できることとなる。本実施形態では、単位印判Ａ及び単位印判Ｂ共に上下位置を微調節する調節部材を有しているが、どちらか一方のみが調節部材を有していても連結式印判の上下位置を調節することができる。
【００１０】
図６は、３個の単位印判を連結して連結式印判にした後、単位印判の側面を保護し、かつ、全体的な見栄えが良くなるようにするための保護カバーを、連結式印判の両側面に連結した状態図である。通常保護カバーは、連結用凸部を有する保護カバーと連結用凹部を有する保護カバーを対にして用いられ、保護カバーの下端には、不使用時に連結式印判を持ち上げておくと共に押印時には押印感覚を良好にするための弾性体付き脚体１５を備えている。
本発明の連結式印判は、単位印判の連結場所を組み替えることによって、様々なレイアウトの印面を得ることができ、例えば「住所」「氏名」「電話番号」の３個の単位印判からは６通りのレイアウトができる。また、単位印判の種類を変更したり、増種することも自由自在である。レイアウトを変更する際は、単位印判の横側面に設けてある凹状の引掛部１４に指を引っ掛けて単位印判を分離すると、容易に連結式印判の連結の解除をすることができる。
【００１１】
本発明では、図７のような調節部材も使用できる。当該調節部材は六角形状であって、対向する辺によって３段階の高さ調節が可能である。
【図面の簡単な説明】
【００１２】
【図１】単位印判の正面図
【図２】単位印判の背面図
【図３】単位印判の横断面図
【図４】単位印判の縦断面図
【図５】単位印判Ａと単位印判Ｂとからなる連結式印判
【図６】保護カバーを連結式印判の両側面に連結した状態図
【図７】他の調節部材を用いた単位印判の正面図
【符号の説明】
【００１３】
１、１’  単位印判
２、２’  印判本体  
３、３’  印字体
４、４’  印字体ホルダー
５，５’  連結用凸部
６，６’  連結用凹部
７，７’  調節部材
８，８’  段部
１４、１４’  引掛部
１５、１５’  弾性体付き脚体
１６、１６’  インキ補充口
【図１】
2005280315.tif 000003
【図２】
2005280315.tif 000004
【図３】
2005280315.tif 000005
【図４】
2005280315.tif 000006
【図５】
2005280315.tif 000007
【図６】
2005280315.tif 000008
【図７】
2005280315.tif 000009